(57)【要約】【課題】充分な量の酸素を供給して微生物の酸素呼吸による生ごみの酸化分解を促進させること、生ごみ中の骨などの硬い物の破砕能力を高め、微生物による分解を助けること、被攪拌物に対する攪拌能力、効率を高めこと、ひいては生ごみの処理期間の短縮、処理能力の増加を図り、生ごみ処理の効率化を図ることを目的とする。又、生ごみ処理における腐敗臭の発生を防止することを目的とする。【解決手段】処理槽２内の中心に垂直方向に回転軸３を、中央部に上部及び下部が開口した横断面正方形の通気筒４を該回転軸３に固定して設置し、該回転軸３に処理槽３の底面２３に対して傾斜角度を有する上部攪拌羽根５と粉砕刃を備える下部攪拌羽根６を固定し、処理槽３の内側面２４に固定刃を設け、底面２３に破砕刃を設け、処理槽２内を正圧とした生ごみ処理装置。【選択図】  図１
2006224002.tif 000002
【特許請求の範囲】
【請求項１】
処理槽内の中心に垂直方向に回転軸を設け、処理槽内の中央部に通気筒を該回転軸に固定して設置すると共に、該回転軸に攪拌羽根を固定したことを特徴とする生ごみ処理装置。
【請求項２】
通気筒は上部及び下部が開口した横断面多角形の筒状体であることを特徴とする請求項１記載の生ごみ処理装置。
【請求項３】
通気筒は上部及び下部が開口した横断面正方形の筒状体であることを特徴とする請求項２記載の生ごみ処理装置。
【請求項４】
処理槽内を正圧としたことを特徴とする請求項１から３のうちいずれか１項記載の生ごみ処理装置。
【請求項５】
攪拌羽根として上部攪拌羽根と下部攪拌羽根を備え、上部攪拌羽根は先端が基端より下方へ位置するように傾斜させた羽根及び／又は先端が基端より上方へ位置するように傾斜させた羽根を備えることを特徴とする請求項１から４のうちいずれか１項記載の生ごみ処理装置。
【請求項６】
攪拌羽根の回転方向先端を鋸状の刃構造に形成したことを特徴とする請求項１から５のうちいずれか１項記載の生ごみ処理装置。
【請求項７】
攪拌羽根は回転方向前下がりに傾斜した平板を備えることを特徴とする請求項１から６のうちいずれか１項記載の生ごみ処理装置。
【請求項８】
処理槽の内側面に、底面に対する角度を攪拌羽根の角度と同一とし且つ攪拌羽根の回転面と僅かな間隔を有し、攪拌羽根の回転方向と逆方向の先端を鋸状の刃構造に形成した刃面を備える固定刃を設けたことを特徴とする請求項１から７のうちいずれか１項記載の生ごみ処理装置。
【請求項９】
固定刃の刃面は底面に対する角度を上部攪拌羽根の底面に対する傾斜角度と同一とし、上部攪拌羽根斜の回転面と僅かな間隔を有して設けたことを特徴とする請求項８項記載の生ごみ処理装置。
【請求項１０】
攪拌羽根の下端に下方へ突出する粉砕刃を複数設け、処理槽の底面に上方へ突出する破砕刃を複数設け、攪拌羽根に設けた粉砕刃と処理槽に設けた粉砕刃は夫々回転軸を中心とする異なった円周上に固定され、処理槽に設けた粉砕刃間を攪拌羽根に設けた粉砕刃が通過するとことを特徴とする請求項１から９のうちいずれか１項記載の生ごみ処理装置。
【請求項１１】
処理槽内側面に攪拌羽根の先端を支持する支持突起を設けたことを特徴とする請求項１から１０のうちいずれか１項記載の生ごみ処理装置。
【請求項１２】
処理槽内を正圧にし、生ごみを含む被攪拌物を攪拌すると共に、被攪拌物の上表面及び深部から空気を被攪拌物に供給することを特徴とする生ごみ処理方法。
【発明の詳細な説明】
【技術分野】
【０００１】
本発明は、生ごみ処理装置及び方法に関し、詳しくは、処理槽内に生ごみ、微生物及び水分調整剤或いは微生物担体等を入れ、攪拌することにより生ごみを生分解する生ごみ処理装置及び方法に関する。
【背景技術】
【０００２】
従来から商業飲食施設、学校等の給食室、家庭等から排出される生ごみは焼却施設で焼却処理されている。しかし、これらの生ごみは大量であり、しかも水分を多量に含んでいるために、焼却施設から排出される有害物質を増加させ、焼却施設の寿命を短くする等の弊害が指摘されてきた。そこで、生ごみが発生する現場で生ごみを乾燥、分解して処理する生ごみ処理装置が用いられるようになってきた。
【０００３】
この生ごみ処理装置には大別して乾燥型と分解型があり、乾燥型は生ごみが含有する水分を除去してごみの減量化を図るものであり、分解型は微生物を利用して生ごみを生分解するものである。分解型の生ごみ処理装置は、処理槽内に生ごみ、微生物及び水分調整剤或いは微生物担体等（以下単に「被攪拌物」ということがある。）及び微生物の生存並びに酸化分解に必要な酸素を投入し、処理槽内に設けた攪拌羽根を回転させて攪拌して分解を促進させている。
【０００４】
しかし、従来の生ごみ処理装置は処理槽と攪拌羽根との間に生ごみ中の骨などの硬い物が挟まることにより攪拌羽根の回転が停止してしまうといった問題点や生ごみ等の攪拌を効率よく行うことが出来ないといった問題点があった。
【０００５】
そこで、回転軸で固定された上側及び下側回転羽根を備え、処理室底部に薄板棒状のカッタ部材を設け下側回転羽根がその上側を回転し、更に、処理室内に支持部材により固定されたオーバーフロー筒を設け、上側回転羽根は該支持部材より上方に配設し、処理ごみをオーバーフロー筒の上端で外側から内側にオーバーフローさせる生ごみ処理装置が提案されている（例えば、特許文献１参照。）。
【０００６】
しかし、この従来の生ごみ処理装置は生ごみ中の骨などの硬い物の破砕能力が充分でなく、処理室底部の薄板棒状のカッタ部材が底のごみの移動を妨げ、処理槽の底に圧縮されたごみが溜まってしまうという問題点を有していた。又、攪拌能力、効率も改善の余地があり、更に、充分な量の酸素を供給することが出来ないために、微生物の酸素呼吸による生ごみの酸化分解が充分に促進されず、更にそのため腐敗臭を発生させるといった問題点があった。
【０００７】
【特許文献１】特許第３４５９７４７号公報
【発明の開示】
【発明が解決しようとする課題】
【０００８】
そこで、本願発明は上記従来技術の問題点を解決し、充分な量の酸素を供給して微生物の酸素呼吸による生ごみの酸化分解を促進させ、ひいては生ごみの処理期間の短縮、処理能力の増加を図り、生ごみ処理の効率化を図ることを目的とする。又、生ごみ処理における腐敗臭の発生を防止することを目的とする。
【０００９】
又、ごみの移動を妨げずに生ごみ中の骨などの硬い物の破砕能力を高め、微生物による分解を助けて、ひいては生ごみの処理期間の短縮、処理能力の増加を図り、生ごみ処理の効率化を図ることを目的とする。
【００１０】
又、被攪拌物に対する攪拌能力、効率を高め、ひいては生ごみの処理期間の短縮、処理能力の増加を図り、生ごみ処理の効率化を図ることを目的とする。
【課題を解決するための手段】
【００１１】
上記課題を解決するための手段は、処理槽内の中心に垂直方向に回転軸を設け、処理槽内の中央部に通気筒を該回転軸に固定して設置すると共に、該回転軸に攪拌羽根を固定したことを特徴とする生ごみ処理装置である。
【００１２】
更に、上記生ごみ処理装置において、通気筒は上部及び下部が開口した横断面多角形の筒状体であることを特徴とする生ごみ処理装置である。
【００１３】
更に、上記生ごみ処理装置において、通気筒は上部及び下部が開口した横断面正方形の筒状体であることを特徴とする生ごみ処理装置である。
【００１４】
更に、上記生ごみ処理装置において、処理槽内を正圧としたことを特徴とする生ごみ処理装置である。
【００１５】
更に、上記生ごみ処理装置において、攪拌羽根として上部攪拌羽根と下部攪拌羽根を備え、上部攪拌羽根は先端が基端より下方へ位置するように傾斜させた羽根及び／又は先端が基端より上方へ位置するように傾斜させた羽根を備えることを特徴とする生ごみ処理装置である。
【００１６】
更に、上記生ごみ処理装置において、攪拌羽根の回転方向先端を鋸状の刃構造に形成したことを特徴とする生ごみ処理装置である。
【００１７】
更に、上記生ごみ処理装置において、攪拌羽根は回転方向前下がりに傾斜した平板を備えることを特徴とする生ごみ処理装置である。
【００１８】
更に、上記生ごみ処理装置において、処理槽の内側面に、底面に対する角度を攪拌羽根の角度と同一とし且つ攪拌羽根の回転面と僅かな間隔を有し、攪拌羽根の回転方向と逆方向の先端を鋸状の刃構造に形成した刃面を備える固定刃を設けたことを特徴とする生ごみ処理装置である。
【００１９】
更に、上記生ごみ処理装置において、固定刃の刃面は底面に対する角度を上部攪拌羽根の底面に対する傾斜角度と同一とし、上部攪拌羽根斜の回転面と僅かな間隔を有して設けたことを特徴とする生ごみ処理装置である。
【００２０】
更に、上記生ごみ処理装置において、攪拌羽根の下端に下方へ突出する粉砕刃を複数設け、処理槽の底面に上方へ突出する破砕刃を複数設け、攪拌羽根に設けた粉砕刃と処理槽に設けた粉砕刃は夫々回転軸を中心とする異なった円周上に固定され、処理槽に設けた粉砕刃間を攪拌羽根に設けた粉砕刃が通過するとことを特徴とする生ごみ処理装置である。
【００２１】
更に、上記生ごみ処理装置において、処理槽内側面に攪拌羽根の先端を支持する支持突起を設けたことを特徴とする生ごみ処理装置である。
【００２２】
又、処理槽内を正圧にし、生ごみを含む被攪拌物を攪拌すると共に、被攪拌物の上表面及び深部から空気を被攪拌物に供給することを特徴とする生ごみ処理方法である。
【発明の効果】
【００２３】
以上のような、本願請求項１記載の発明によれば、被攪拌物の上表面のみならず、深部へ直接酸素を供給可能で、微生物に充分な量の酸素を供給することが可能となり、微生物の酸素呼吸による生ごみの酸化分解を促進させることが出来、ひいては生ごみの処理期間の短縮、処理能力の増加を図り、生ごみ処理の効率化を図ることが可能となった。又、生ごみ処理における腐敗臭の発生を防止するが可能となった。
【００２４】
更に、本願請求項２記載の発明によれば、攪拌羽根に加えて通気筒により被攪拌物の攪拌を効率よく行うことが出来、被攪拌物に対する攪拌能力、効率を高めることが可能となり、ひいては更なる生ごみの処理期間の短縮、処理能力の増加を図り、生ごみ処理の効率化を図ることが可能となった。
【００２５】
更に、請求項３記載の発明によれば、通気筒を回転させるモータの負担を押さえつつ、攪拌能力を高めることが可能となった。
【００２６】
更に、本願請求項４記載の発明によれば、被攪拌物の上表面及び深部から内部へ酸素を透過させることが出来、被攪拌物の内部にも充分な量の酸素を供給することが可能となった。
【００２７】
更に、本願請求項５記載の発明によれば、従来の水平の攪拌羽根では被攪拌物の一部しか攪拌できないが、少ない攪拌羽根で満遍なく攪拌でき、被攪拌物に対する攪拌能力、効率を飛躍的に高めることが出来た。
【００２８】
更に、本願請求項６記載の発明によれば、ごみの移動を妨げずに生ごみ中の骨などの硬い物の破砕能力を高め、微生物による分解を助けて、ひいては生ごみの処理期間の短縮、処理能力の増加を図り、生ごみ処理の効率化を図ることが可能となった。
【００２９】
更に、本願請求項７記載の発明によれば、被攪拌物を攪拌羽根の回転方向のみならず上方へ移動させることが出来、更に、被攪拌物に対する攪拌能力、効率を高めることが出来た。
【００３０】
更に、本願請求項８又は９記載の発明によれば、更に生ごみ中の骨などの硬い物の破砕能力を高めることが可能となった。
【００３１】
更に、本願請求項１０記載の発明によれば、処理槽の底面に設ける破砕刃間に隙間があるので、生ごみが処理槽の底部に溜まることなく、ごみの移動を妨げずに生ごみ中の骨などの硬い物の破砕能力を高めることが可能となった。
【００３２】
更に、本願請求項１１記載の発明によれば、攪拌羽根の湾曲、歪みを防止することが可能となり、被攪拌物に対する攪拌能力、効率を維持することが可能となった。
【００３３】
又、本願請求項１１記載の発明によれば、微生物に充分な量の酸素を供給することが可能となり、微生物の酸素呼吸による生ごみの酸化分解を促進させることが出来、ひいては生ごみの処理期間の短縮、処理能力の増加を図り、生ごみ処理の効率化を図ることが可能となった。
【発明を実施するための最良の形態】
【００３４】
以下本発明を図に従って詳細に説明する。生ごみ処理装置１は処理槽２、処理槽２内に配設された回転軸３、通気筒４、上部攪拌羽根５、下部攪拌羽根６、固定刃７及び粉砕刃６１，８を備えて構成されている。
【００３５】
処理槽２は被攪拌物１００を攪拌し、生ごみを処理するための槽であり、上端及び下端が封鎖された円筒状であり、ステンレス等の腐食しにくい材質を用いて成形している。
【００３６】
処理槽２の中心には処理槽２の上端を塞ぐ上板２１に設けた貫通孔２１１を貫通する回転軸３を処理槽２の底面２３に垂直に設けている。尚、該貫通孔２１１と回転軸３との隙間はシーリング部材（図示せず）によりシールして処理槽２の気密性を確保している。回転軸３は処理槽２の底部２２に設けられたベアリング９１及び処理槽２の上部に設けられたベアリング９２で軸支され、その上端はチェーンカップリング９９により変速機９３の軸９３１と連結されている。更に、変速機９３を動力源たるモータ９４と連結し、モータ９４の回転により回転軸３が回転する構成としている。
【００３７】
通気筒４は被攪拌物１００に空気、特に酸素を供給すると共に、被攪拌物１００を攪拌する部材であり、上部及び下部が開口した横断面正方形の筒状体であり、処理槽２内の中央部に設置し、回転軸３から放射状に突設した板状の支持部材４９，４９…で回転軸３に固定して設置する。回転軸３は通気筒４の中心に位置している。従って、通気筒４は回転軸３の回転に伴い同方向に回転する。被攪拌物１００が通気筒４の上端から通気筒４の内部に移動することは望ましくないので、通気筒４の上端は処理槽２内に投入される被攪拌物１００より高い位置に位置することが好ましく、又、処理槽２内に堆積した被攪拌物１００の深部へ酸素を供給可能とするために、通気筒４の下端は処理槽２の底面２３に出来る限り近いことが望ましい。従って、通気筒４はその上端を処理槽２の上端近傍に位置させると共に、その下端を処理槽２の下端近傍に位置させるような高さを備えて設置することは推奨される。具体的には、通気筒４の下端が下部攪拌羽根６の直上に位置するように設けている。このようにして、通気筒４の内部へは空気が出入するが、被攪拌物１００は出入しないよう構成する。
【００３８】
通気筒４の横断面形状は攪拌効率がよく、モータへの負担が少ない正方形が好ましいが、これに限定されず、三角形、長方形、五角形、星型等の多角形とすること、その他被攪拌物１００を攪拌可能な凹凸形状とすることも可能である。又、攪拌機能は低下するが、横断面円形、楕円形等とすることも可能である。又、通気筒４の下部の開口又は／及び上部の開口に空気の流れを妨げず、且つ被攪拌物１００の進入を防止する網状や多孔等の蓋体を設けることとしてもよい。通気筒４は回転軸３に偏心させて固定することも可能である。
【００３９】
攪拌羽根として、上部攪拌羽根５及び下部攪拌羽根６を備え、上部攪拌羽根５として、縦断面Ｌ字状のアングル５９に回転方向前下がりに傾斜した平板５８を固着し、アングル５９の横片５９１の回転方向先端を鋸状の刃構造に形成した二本の羽根５１，５２を設けている。アングル５９を用いることにより上部攪拌羽根５の強度を高め、平板５８を備えることで被攪拌物１００を上方へ移動させることが可能となり、攪拌効率が上がり、鋸状の刃構造を備えることで生ごみの破砕が可能となっている。
【００４０】
羽根５１，５２の基端５１０，５２０は回転軸３の中間部に１８０°の間隔で固定し、羽根５１は先端５１１が基端５１０より下方へ位置するように傾斜させ、羽根５２は先端５２１が基端５２０より上方へ位置するように傾斜させると共に、通気筒４の上端より低く位置させて、二本の羽根５１，５２を直線上に位置させている。直線上に位置する羽根５１，５２の回転軸３との角度は直角でなければ特に限定されない。羽根５１，５２は通気筒４に設けた通孔４１を貫通し、通気筒４とも固定されている。
【００４１】
上部攪拌羽根５の実施形態として上記以外の形態を採用可能であり、羽根５１と５２は必ずしも直線上に位置しなくてもよく、底面２３に対する角度に変化をもたせたり、回転軸３との固定位置をずらしてもよい。又、上部攪拌羽根５は９０度間隔で羽根５１，５２を交互に４本設ける等二本以上の適宜本数を適宜の角度間隔で設けることとしてもよい。更に、羽根５１又は羽根５２の何れか一方のみを適宜本数、適宜の角度間隔で設けることとしてもよい。
【００４２】
下部攪拌羽根６は処理槽２の底面２３と平行に、夫々９０°の角度を持たせて４本設置し、夫々の基端６１０を回転軸３の下端部に固定している。下部攪拌羽根６，６…は縦断面Ｌ字状のアングル６９に回転方向前下がりに傾斜した平板６８を固着し、アングル６９の横片６９１の回転方向先端を鋸状の刃構造に形成して構成している。アングル６９を用いることにより下部攪拌羽根６の強度を高め、平板６８を備えることで被攪拌物１００を上方へ移動させることが可能となり、攪拌効率が上がり、鋸状の刃構造を備えることで生ごみの破砕が可能となっている。勿論、下部攪拌羽根６の設置本数は４本に限定されず、適宜本数を適宜の角度間隔で設けることとしてもよい。
【００４３】
下部攪拌羽根６の下端、即ち横片６９１の裏面には下方へ突出する四角柱形状の粉砕刃６１を複数設けている。粉砕刃６１，６１…は下部攪拌羽根６の基端６１０から先端６１１まで等間隔で一列に固定している。下部攪拌羽根６は粉砕刃６１の下端が処理槽２の底面２３に接触しない程度に底面２３に近接する位置に固定している。
【００４４】
尚、攪拌羽根として上部攪拌羽根５及び下部攪拌羽根６を設けるのではなく、処理槽２の深さに応じる等して上部攪拌羽根５又は下部攪拌羽根６の何れかを設ける構成としてもよい。
【００４５】
処理槽２の内側面２４には固定刃７を固定している。固定刃７は回転軸３方向へ内側面２４から回転軸３までの約半分の距離まで突出させると共に、下方へ傾斜させた適宜幅を有する刃面７１を備え、上部攪拌羽根５の回転方向と逆方向の刃面７１の先端を鋸状の刃構造に形成している。固定刃７は刃面７１から下方に曲折した縦片７２、刃面７１の後端から下方に曲折し縦片７２と固着された後片７３で構成し、縦片７２を内側面２４に固着することにより、固定刃７の固定強度をあげると共に、後述するように後片７３を生ごみの粉砕に利用している。
【００４６】
固定刃７の刃面７１は、底面２３に対するその傾斜角度を上部攪拌羽根５の先端５２１が基端５２０より上方へ位置する羽根５２の傾斜角度と同一にし、即ち刃面７１を羽根５２の横片５９１即ち羽根５２の回転面と平行とし且つ羽根５２と摺接するよう或いは羽根５２の回転面と僅かな間隔を設けて設置する。後片７３の下端辺７３１は、底面２３に対するその傾斜角度を先端５１１が下方へ傾斜した羽根５１の底面２３に対する角度と同一にし、羽根５１の上端の回転面と平行且つ僅かな間隔を設けて設置している。図示する実施例においては、回転軸３を中心として夫々９０°の間隔で４本の固定刃７を設けているが、固定刃７の設置数、設置間隔は特に限定されない。
【００４７】
固定刃７は刃面７１に加えて或いは換えて、刃面７１と同様の形状を備え、縦片７２及び後片７３と結合し、底面２３に対するその傾斜角度を羽根５１の上端の底面２３に対する角度と同一にし、羽根５１の上端の回転面と平行且つ僅かな間隔を設けて上方へ傾斜させ、上部攪拌羽根５の回転方向と逆方向の先端を鋸状の刃構造に形成した適宜幅の下刃面（図示せず）を備えることとしてもよい。又、固定刃７は下部攪拌羽根６に対応させ、刃面７１が下部攪拌羽根６の横片６９１と平行且つ摺接するよう或いは僅かな間隔を設けて設置することも可能である。
【００４８】
処理槽２の底面２３には、粉砕刃６１と同一形状の四角柱形状の上方へ突出する複数の粉砕刃８，８…を、底面２３の中心から内側面２４方向へ放射状に固定し、夫々６０°間隔で６列設けている。１列毎の粉砕刃８，８…は等間隔で固定され、この間隔は粉砕刃６１，６１…の間隔と同一としている。粉砕刃８，８…と粉砕刃６１，６１…は夫々回転軸３を中心とする異なった円周上に固定され、列毎の粉砕刃８，８…間には粉砕刃６１，６１…が円軌道で通過するので、粉砕刃８，８…間及び粉砕刃６１，６１…間は夫々粉砕刃８，６１の横幅より広く設けている。
【００４９】
尚、粉砕刃８，８…及び粉砕刃６１，６１…は互いに回転軸３を中心とする異なった円周上に固定されていれば、列状や等間隔に設けずに、設置位置の変更が可能である。
【００５０】
上部攪拌羽根５及び下部攪拌羽根６は被攪拌物１００に埋没し、被攪拌物１００の重み圧力により下方へ押圧される等して下方への湾曲、歪みが生じやすい。そこで、処理槽２の内側面２４の全周に渡って、底面２３と平行の支持突起２５を設け、上部攪拌羽根５及び下部攪拌羽根６の湾曲、歪みを防止することは推奨される。支持突起２５は支持する攪拌羽根５，６の先端下部に位置するよう内側面２４から回転軸３方向へ突出させ、上部攪拌羽根５及び／又は下部攪拌羽根６の先端を載置して、支持している。図に示す実施の形態に於いては、上部攪拌羽根５としての二本の羽根５１，５２及び下部攪拌羽根６，６…の総てを支持するために３本の支持突起２５，２５…を設けているが、上部攪拌羽根５の構成に応じて、或いは選択された攪拌羽根のみ支持する構成として、支持突起２５の本数を増減することとしてもよい。
【００５１】
処理槽２の上板２１には給気口１２と槽排気出口１３が設けられ、処理槽２の上部に処理槽２内に空気を送る給気手段たる給気ファン１１の送風口を給気口１２に挿入して設置し、給気ファン１１により酸素を含む処理槽２外の空気を給気口１２から処理槽２内へ送る。処理槽２内の空気は槽排気出口１３から脱臭器１４へ移動し、脱臭器１４内に設置した防塵フィルター１４１やゼオライト等の吸着剤含有フィルター１４２を通過して排気口１４３から生ごみ処理装置１外へ排出される。槽排気出口１３の開口は調節自在とし、或いは調節不可として、槽排気出口１３の大きさを少なくとも給気口１２の大きさ以下に設定する。更に、給気ファン１１による給気量の調整、脱臭器１４の設置をすることで、処理槽２内の空気圧を正圧の状態に維持することが可能となり、空気が被攪拌物１００の表面から内部へ強制的に透過され、微生物に酸素を充分に供給可能となり、微生物の酸素呼吸による酸化分解が促進される。又、負圧とすると、給気ファンが硫化水素により錆び易く、寿命が短いが、正圧とすることで、硫化水素の影響が少なく、寿命が長くなり、経済的でもある。
【００５２】
処理槽２の上部には変速機９３、図示しない電源と接続された動力源たるモータ９４、図示しない制御装置、給気ファン１１等の給気手段が収納カバー１０１内に設置され、収納カバー１０１には制御装置、モータ９４や給気ファン１１等の操作スイッチ１９１，１９１…を備える操作盤１９が設けられている。又、処理槽２の上板２１には生ごみ等の投入口１５が設けられ、回動自在に枢支された蓋１５１により開閉自在としている。尚、通気筒４内へ被攪拌物１００が投入されるのを防止するために、投入口１５は通気筒４の真上を避けて設けている。更に、処理槽２の中間部又は／及び下部には被攪拌物１００の取出し口１６を設け、回動自在に枢支された蓋１６１により開閉自在としている。処理槽２の上板２１上には変速機９３等が載置されるので、上板２１の内面には補強アングル４４を設けている。
【００５３】
次に生ごみ処理装置１の使用、動作について説明する。先ず、通気筒４内を除く処理槽２内へ投入口１５から新聞紙を細かく裁断したものやおがくず等の水分調整材、菌類を含む微生物及び生ごみを投入する。この際被攪拌物１００は通気筒４の上端に達しない量のみを投入する。次に操作盤１９を操作して、図示しない電源から電力を得て動力源たるモータ９４を作動させることにより変速機９３を介して回転軸３を回転させ、通気筒４、上部攪拌羽根５たる羽根５１，５２、下部攪拌羽根６，６…を回転させる。同時に給気ファン１１を作動させ、収納カバー１０１の上部に設けた外気取入口１０３から空気を収納カバー１０１内へ取り入る。空気の流れを図７及び８に一点鎖線の矢印で示す。
【００５４】
取り入れられた空気は、収納カバー１０１内でモータ９４及び変速機９３を冷却してモータ９４及び変速機９３の温度上昇を防止し、温まった空気は給気口１２から処理槽２内へ送られる。槽排気出口１３の開口の調整等により風速抵抗が生じ、処理槽２内から排出される空気より処理槽２内へ送られる空気の量を多くし、処理槽２内を正圧状態を保つ。これにより、処理槽２内の空気は、被攪拌物１００の上部表面から内部へ浸透すると共に、通気筒４内を通り、被攪拌物１００の深部から内部へ浸透し、被攪拌物１００へ充分に酸素を供給する。攪拌羽根５，６を回転させないときにも
【００５５】
図７及び８に二点鎖線の矢印で示すように、被攪拌物１００は上部攪拌羽根５の平板５８及び下部攪拌羽根６の平板６８により上方向に押し上げられ、上部攪拌羽根５及び下部攪拌羽根６の遠心力で処理槽２の中心部から内側面２４方向へ移動し、内側面２４に当たって上方へ移動し、崩れて通気筒４にぶつかり、通気筒４の角部分で内側面２４方向へ送り出されることを繰り返して攪拌される。攪拌中にも通気筒４の内部へは被攪拌物１００は入らない。上部攪拌羽根５の羽根５１，５２が底面２３に対して斜め状態で回転軸３に固定されているので、生ごみと微生物の攪拌が効率よく行われ、処理槽２内が正圧のため被攪拌物１００へ通気筒４からも酸素が充分に供給され、生ごみ分解微生物により酸化分解が促進される。通常、攪拌羽根５，６は回転と停止を適宜間隔で繰り返して行うが、攪拌羽根５，６の停止中にも処理槽２内への送風は行うことが望ましい。
【００５６】
攪拌中に生ごみ中の骨、貝殻、割り箸等硬い固形物及び柔らかい固形物は下部攪拌羽根６の粉砕刃６１，６１…が粉砕刃８，８…間に櫛刃状態でかみ合わさるその間に挟まれることにより、更に、羽根５２の鋸状の刃構造に形成した横片５９１の先端と先端を鋸状の刃構造に形成した固定刃７の刃面７１間に挟まれることにより粉砕される。又、固定刃７の刃面７１と羽根５２の横片５９１間及び後片７３の下端と羽根５１のアングル５９の縦片５９２の上端間に生ごみを挟み込み、生ごみ中の骨、貝殻、割り箸等を粉砕し、生ごみの固まりやつる状体、繊維状体を粉砕、細切れにする。
【００５７】
処理槽２内の空気は、槽排気出口１３から脱臭器１４へ移動し、脱臭器１４内に設置した防塵フィルター１４１やゼオライト等の吸着剤含有フィルター１４２を通過して脱臭、集塵されて、無臭、無粉塵となった空気が排気口１４３から生ごみ処理装置１外へ排出される。
【図面の簡単な説明】
【００５８】
【図１】本発明一実施例正面図
【図２】本発明一実施例側面図
【図３】本発明一実施例上面図
【図４】図２Ｂ−Ｂ縦断面図
【図５】図１Ｃ−Ｃ縦断面図
【図６】図１Ａ−Ａ横断面図
【図７】空気及び被攪拌物の流れを示す図
【図８】空気及び被攪拌物の流れを示す図
【符号の説明】
【００５９】
１      生ごみ処理装置
１１    給気ファン
１２    給気口
１３    槽排気出口
１４    脱臭器
２      処理槽
２３    底面
２５    支持突起
３      回転軸
４      通気筒
４９    支持部材
５      上部攪拌羽根
５８    平板
６      下部攪拌羽根
６８    平板
６１    粉砕刃
７      固定刃
７１    刃面
８      粉砕刃
９３    変速機
９４    モータ
１００  被攪拌物
【図１】
2006224002.tif 000003
【図２】
2006224002.tif 000004
【図３】
2006224002.tif 000005
【図４】
2006224002.tif 000006
【図５】
2006224002.tif 000007
【図６】
2006224002.tif 000008
【図７】
2006224002.tif 000009
【図８】
2006224002.tif 000010